(57)【特許請求の範囲】
【請求項１】
ユーザがテープカートリッジに囲まれるテープメディアの書き込み防止状態を選択するためのテープカートリッジの書き込み防止機構であって、該テープカートリッジは、カバー、ベース、および第１の側面に形成された書き込み防止開口部を備えたハウジングを有し、前記書き込み防止機構は、
該書き込み防止開口部に対して垂直な該ハウジングの第２の側面の穴であって、該ハウジングに部分的に広がった側面を有する、穴と、
書き込み可能位置と書き込み防止位置との間を移動可能な移動可能手段であって、該移動可能手段は、該穴を通して移動可能であり、該ハウジングの内部に配置され、これにより上端部は、該テープカートリッジカバーと密接して配置され、該移動可能手段が該書き込み可能位置にあるときに該書き込み防止開口部を覆い、該移動可能手段が該書き込み防止位置にあるときに該書き込み防止開口部を覆わない、移動可能手段とを含み、
さらに前記移動可能手段は、これと一体化して形成される少なくとも人間が視認可能な２つのアイコンを有し、前記アイコンの１つが書き込み可能状態を示し、前記２つのアイコンの他方が書き込み防止状態を示し、
さらに、
窓を有するインジケータであって、該インジケータの窓は、前記移動可能手段の真上の前記テープカートリッジのカバーに配置され、該移動可能手段が該書き込み可能位置あるいは該書き込み防止位置に移動するときに、該インジケータは、該移動可能手段が該書き込み可能位置あるいは該書き込み防止位置に対応する１つの位置にあることを指すインジケータであり、
前記移動可能手段は、前記ハウジング内に上部マウント部材と底部マウント部材とにより回転可能に支持されたシリンダーにより構成され、前記シリンダーには前記２つのアイコンおよび前記インジケータを含む、書き込み防止機構。
【請求項２】
前記移動可能手段は、
ユーザが前記書き込み可能位置と前記書き込み防止位置との間で前記移動可能手段の移動を可能にするための前記穴に延びる、タブと、
前記移動可能手段が該書き込み可能位置にあるときに前記書き込み防止開口部を覆う、
アームとを含む、請求項１に記載の書き込み防止機構。
【請求項３】
前記前記移動可能手段は、
前記書き込み可能位置と前記書き込み防止位置との間を回転するシリンダー形状である、請求項２に記載の書き込み防止機構。
【請求項４】
前記窓を有するインジケータは、該窓と、前記窓を通して観察することのできる該移動可能手段の上端部の矢印であって、該移動可能選択手段が前記書き込み可能位置あるいは前記書き込み防止位置にあるときに、該矢印は、対応する書き込み可能位置あるいは書き込み防止位置を指す、矢印とを含む、請求項１に記載の書き込み防止機構。
【請求項５】
前記少なくとも人間が読むことができる２つのアイコンが少なくとも２つのカラーである、請求項１に記載の書き込み防止機構。
【請求項６】
前記少なくとも人間が読むことができる２つのアイコンが
前記書き込み可能位置を示す少なくとも１つの書き込み可能アイコンと、
円を通るスラッシュを有する円に囲まれる該書き込み可能アイコンを描いて、書き込み防止位置を示す少なくとも１つの書き込み防止アイコンをさらに含む、請求項１に記載の書き込み防止機構。
【発明の詳細な説明】
【技術分野】
【０００１】
本発明は、デジタルテープカートリッジに関し、より詳細には機械的な書き込み防止機構に関する。この書き込み防止機構は、テープドライブによって読み出し可能であり、テープカートリッジの２つ以上の面からユーザが見ることができ、そして書き込み防止スイッチおよび書き込み防止インジケータにインプリントされた人が読むことができるアイコンを含む。
【背景技術】
【０００２】
不測の上書き、または格納されたデータの消去を回避することは、磁気テープカートリッジの分野の問題であるが、書き込み可能状態と書き込み防止状態との間の選択の方法を提供する。その状態は、テープカートリッジの１つ以上の面でテープドライブおよびユーザによって読むことができる。現行のテープカートリッジは、テープカートリッジの１つより多い面からテープカートリッジの書き込み防止状態を見ることができる方法を提供できず、または人が読むことができるアイコンなしで書き込み可能状態および書き込み防止状態を区別することはできない。
【０００３】
テープカートリッジは、テープドライブの磁気ヘッドがテープカートリッジに囲まれるテープメディアへアクセスするために通る穴を含む。開口部はまた、テープカートリッジに書き込み防止状態を示すために提供される。書き込み防止デバイスは、テープドライブに配置された書き込みセンシング装置、およびセンシング装置がテープカートリッジの書き込み防止状態の判断を可能にするテープカートリッジに対応する開口部を含む。開口部が覆われ、あるいはブロックされた場合、テープカートリッジは書き込み可能である。逆に、開口部が開いている場合、テープカートリッジは書き込み防止である。ユーザがテープカートリッジの書き込み防止状態を判断するためにはテープカートリッジの開口部を見るだけでよい。ユーザがテープカートリッジを書き込み防止状態にセットし、あるいはユーザが１つより多いテープカートリッジの方向から書き込み防止状態を見ることを可能にする装置の提供を意図した場合、既存のテープカートリッジは、ユーザがテープカートリッジを書き込み可能状態にセットすることを妨げる方法を提供できない。
【０００４】
（取り外し可能な防止装置）
初期のテープカートリッジは、テープメディアの書き込みを妨げる書き込み防止開口部を覆う取りはずし可能な小片を提供した。一旦、取り外されると、テープメディアは、追加の記録されるデータを受け入れることはできない。次にテープカートリッジの使用を可能にするために、ユーザは粘着テープまたは他の適当な手段で開口部を覆った。
【０００５】
Ｔａｋａｈａｓｈｉ（米国特許第４，４６０，９３０号）によって開示された書き込み防止装置は、取外された後にテープカートリッジにスライド可能で再取り付けされ得る取り外し可能な書き込み防止装置を提供する。取り外し可能な書き込み防止装置が適切な位置にあるとき、データは囲まれたテープメディアに記録され得る。一旦、取り除かれると、書き込み防止装置がテープカートリッジに再取り付けされるまで書き込みは妨げられる。
【０００６】
（テープドライブから取り除かれたカートリッジを有する読み取り可能スライドスイッチ）
機械的スライドスイッチは、移動可能な部材の位置を変更することで、書き込み可能状態と書き込み防止状態との間の書き込み防止開口部内で移動可能な部材をスライドすることは既知である。Ｔａｋａｈａｓｈｉ（米国特許第４，８６０，１２７号）、Ｔａｎａｋａ（米国特許第４，７６９，７３２号）およびＢｌａｃｋｓｔｏｎ（米国特許第５，２１０，６７１号）に発表された書き込み防止を有するテープカートリッジは、移動可能部材またはタブを提供する。移動可能な部材またはタブは、テープカートリッジハウジングの書き込み防止開口部内でのオープン位置とクローズ位置との間をスライドする。スライド部材が開口部を覆う場合、書き込みセンシング装置が書き込み可能なことを表示するテープカートリッジの敷居をクロスすることはできない。他方では、移動可能部材が開口部を覆わないようにスライドされた場合、書き込み検出レバーは、テープカートリッジを貫通し、書き込み防止状態を表示する。ＴａｋａｈａｓｈｉおよびＴａｎａｋａによって開示されたスライド部材は、テープカートリッジハウジングのアセンブリの間、書き込み防止開口部に組み込まれるが、Ｂｌａｃｋｓｔｏｎのスライド部材は、テープカートリッジハウジングが組み込まれた後に、書き込み防止開口部に挿入される。従って生成プロセスを単純化する。
【０００７】
ここに記載されたテープカートリッジ書き込み防止機構のユーザは、テープカートリッジがテープドライブから取り除かれた後の１つの特定の方向からの書き込み防止状態を観察し得るのみである。ユーザが開いている開口部を観察した場合、テープカートリッジは書き込み防止されている。移動可能部材あるいはタブが開口部を覆う、あるいはブロックしている場合、データは囲まれたテープメディアに書き込まれ得る。ユーザが書き込み防止スイッチまたは書き込み防止開口部の位置と、書き込み可能状態および書き込み防止状態との関係を覚えることは困難である。これらの書き込み防止装置は、ユーザがテープカートリッジを書き込み防止状態にする意図があった場合に、ユーザが誤ってテープカートリッジを書き込み可能状態にセットすることを防ぎ得る書き込み防止状態を識別する代替的な方法を提供できない。
【０００８】
（スライド機構上の人間が読むことができるマーク）
Ｈｏｇｅによって開示された自己識別共通格納要素（米国特許第５，２３９，４３７号）は、テープカートリッジの外部のハウジングにコーディング開口部を提供する。コーディング開口部は、ブロックをテープカートリッジハウジングの前面の対応する凹部に挿入することによって実施される。コーディング開口部の１つは、テープカートリッジの書き込み防止状態に対応し、ユーザがテープカートリッジの書き込み防止状態にセットできるようにスライド機構によって規定される。人間が読むことができるマークはまた、テープカートリッジの書き込み防止状態を示すようにスライド機構上に提供される。
【０００９】
Ｈｏｇｅ（米国特許第５，３７１，６４４号）によって開示された他の人間が読むことができる書き込み防止機構は、書き込み防止開口部に近いハウジング上に人間が読むことができるマークの第１の部分を提供する。人間が読むことができるマークの第２の部分はスライド機構と一体化されている。スライド機構が１つの位置にある場合、開口部がブロックされ、人間が読むことができるマークの対応する第１および第２の部分は書き込み可能状態を表示するように一列に並べられる。逆に、書き込み防止開口部がオープン位置にある場合、人間が読むことができるマークの第１および第２の部分は、シンボルのイメージを崩して描くように１列に並べられない。そのため書き込み防止状態を示す。
【００１０】
ユーザがテープカートリッジを書き込み防止状態にセットすることを意図した場合にテープカートリッジを書き込み可能状態にする問題は、この人間が読むことができるマークにより克服されるが、テープカートリッジハウジングの１つより多い面から書き込み防止状態を見る手段を提供できない。
【発明の開示】
【発明が解決しようとする課題】
【００１１】
これらの理由に対して、ユーザがひとつより多い位置からテープカートリッジの状態を見ることを可能にしつつ、書き込み可能状態と書き込み防止状態との間を容易にスイッチする書き込み防止機構の必要性が存在する。
【課題を解決するための手段】
【００１２】
本書き込み防止機構は、人間が読むことができるアイコンを用いて少なくとも２つの位置からテープカートリッジの書き込み防止状態を識別するための手段を提供することによって、上述の問題を克服し、かつ従来技術を進歩させる。書き込み防止を用いた既存のテープカートリッジは、ユーザがテープカートリッジの書き込み防止状態を判断するために書き込み防止開口部を見なければならない。本書き込み防止機構は、ユーザが書き込み防止開口部を見ることに加えて、上部および前面の位置からテープカートリッジの書き込み防止状態を判断することを可能にする。
【００１３】
テープカートリッジの前面の外側のハウジングに配置された書き込み防止スイッチは、ユーザが書き込み可能と書き込み防止との間を選択することを可能にする。書き込み防止スッ値は、書き込み可能状態と書き込み防止状態との間を動くスライドまたは回転スイッチであってもよい。テープカートリッジハウジングの側面に配置された書き込み防止開口部は、テープカートリッジがテープドライブに挿入されたときにテープドライブの書き込み防止状態を判断するためのテープドライブ用の従来の書き込み防止開口部を提供する。書き込み防止スイッチが、書き込み可能状態に移されたとき、書き込み防止スイッチは書き込み防止開口部をブロックする。逆に、書き込み防止スイッチが書き込み防止位置に移されたとき、書き込み防止スイッチはテープカートリッジが書き込み防止であることを示す書き込み防止開口部を片付けるか、あるいは開く。
【００１４】
書き込み防止スイッチは、ユーザ選択タブ、あるいは書き込み可能位置と書き込み防止位置との間で書き込み防止スイッチを動かすための他の装置を備え、かつユーザ選択タブの両側に人間が読むことができるアイコンを備える。書き込み防止スイッチが書き込み可能位置にあるとき、露呈されたアイコンは筆記用具あるいは他の一般の書き込み可能状態を示すことを容認するアイコンを描く。書き込み防止スイッチが書き込み防止位置にある場合、露呈されたアイコンは、書き込み防止状態を示す円を貫くスラッシュを有する円の中に含まれる同一の筆記用具である。
【００１５】
ある実施形態において、テープカートリッジカバーは、テープカートリッジカバー上に書き込み防止インジケータを備える。書き込み防止インジケータは、ユーザが書き込み防止スイッチの位置を見ることを可能にするために書き込み防止スイッチ上に表示窓を含む。書き込み防止機構は、さらにユーザ選択タブに対して垂直な書き込み防止スイッチの上部面に矢印を備える。矢印はテープカートリッジカバーの書き込み防止インジケータ内の表示窓を通して見ることができる。ユーザが書き込み防止スイッチの位置を変える場合、矢印は対応した位置に動く。書き込み防止機構の他の実施形態において、上述されたような人間が読むことができるアイコンは、表示窓の上に配置され、そのため書き込み防止スイッチが可能位置と防止位置との間を移されるにつれて、矢印は対応する人間が読むことができるアイコンを指す。
【００１６】
さらなる書き込み防止機構の他の実施形態において、矢印に近接する２つの領域は、書き込み可能および書き込み防止を示すために、矢印の一方は緑であり、かつ矢印の他方は赤であるというようなカラーコーディングがなされる。この実施形態において、書き込み防止スイッチが書き込み可能位置にあるとき、矢印に近接する緑の領域は表示窓を介して見ることができ、かつ矢印は、書き込み可能アイコンを指す。逆に、書き込み防止スイッチが書き込み防止位置にある場合、矢印に近接する赤の領域は表示窓を介して見ることができ、かつ矢印は書き込み防止アイコンを指す。
【００１７】
このように、書き込み防止開口部に対して垂直なテープカートリッジの前面に配置された書き込み防止スイッチの利用は、ユーザにテープカートリッジの書き込み防止状態を判断するための２つの方向を提供する。書き込み防止インジケータおよび書き込み防止スイッチにインプリントされた人間が読むことができるアイコンは、ユーザが第３の方向（テープカートリッジのカバー）からテープカートリッジの書き込み防止状態を判断することを可能にする。人間が読むことができるアイコンは、ユーザが書き込み防止位置の選択を意図したときに、ユーザの不注意な書き込み可能位置の選択を防ぐための方法を提供する。
【発明を実施するための最良の形態】
【００１８】
（詳細な説明）
上部で要約され、かつ列挙される請求項によって規定された書き込み防止機構は、以下の詳細な説明を参照してより理解され得る。以下の詳細な説明は添付された図面に関連し読まれるべきである。好ましい実施形態の詳細な説明は、列挙された請求項の制限を意図しないが、その特定の例として機能する。加えて、本明細書中で用いられた表現および用語は、説明の目的であり、制限する目的ではない。
【００１９】
テープカートリッジハウジングは、カートリッジカバーおよびカートリッジベースを備え、カートリッジカバーおよびカートリッジベースは、磁気テープの長さを巻かれるシングルリールを含むテープカートリッジハウジングを形成するために連結される。テープカートリッジの片側の書き込み防止開口部は、テープカートリッジがテープドライブに挿入されたときにテープカートリッジの書き込み防止状態を判断することに対応した、テープドライブに配置された、書き込みセンシング装置あるいはレバーのための開口部を提供する。テープカートリッジハウジングの前面のほかの開口部は、動作のために囲まれたテープメディアをさらすために、テープカートリッジがテープドライブに挿入されたときに開くドアアセンブリを含む。書き込み防止開口部に対して垂直なテープカートリッジの前面のドアアセンブリの近接して、移動可能な書き込み防止スイッチがある。
【００２０】
（移動可能な書き込み防止スイッチ−図１）
図１を参照すると、書き込み防止スイッチ２０は、シリンダー２２、回転シリンダー２２用のユーザ選択タブ２４、アーム２６ならびに矢印２８を含む。テープカートリッジハウジングカバー１１０およびテープカートリッジベース１２０は、テープカートリッジのひとつのコーナに書き込み防止スイッチ２０をマウントするためのマウント部材を含む。図１で図示されたように、上部マウント部材１１８のおよび底部マウント部材１２８は、筒型マウント部材であり、筒型マウント部材は、書き込み防止スイッチ２０のシリンダー２２の内径より小さい外形を有する。書き込み防止スイッチ２０は、ユーザが書き込み防止スイッチ２０を回転することによって書き込み防止状態を選択可能にするために、シリンダー２２の側面に一体形成されたユーザ選択タブ２４を提供する。
【００２１】
テープカートリッジカバー１１０とベース１２０が連結されたとき、書き込み防止スイッチ穴１４０は、ドアアセンブリ１３２の近傍、かつ書き込み防止開口部１６０に対して垂直にテープカートリッジ前面１３０に形成される。書き込み防止スイッチ穴１４０は、書き込み防止スイッチ２０の動きを制限する側壁１４２を含む。シリンダー２２は、カバー１１０とベース１２０とが連結されるとき、ユーザ選択タブ２４が書き込み防止スイッチ穴１４０から突き出た状態で、上部マウント部材１１８および底部マウント部材１２８を覆ってはめ込まれる。書き込み防止スイッチ２０の位置は、テープカートリッジ１００の前面１３０からくぼんでおり、そのため書き込み可能あるいは書き込み防止状態のどちらであってもユーザ選択タブは２４は、テープカートリッジ１００の前面１３０から突き出ていない。シリンダー２２の長さは、書き込み防止スイッチ２０を定位置で安全に維持しながら回転可能にするためにテープカートリッジカバー１１０とベース１２０との間の距離よりわずかに短い。
【００２２】
テープカートリッジカバー１１０およびベース１２０が連結されるとき、書き込み防止開口部１６０は、書き込み防止スイッチ穴１４０に垂直にテープカートリッジ側面１５０のコーナーに形成される。上述のように、テープカートリッジ１００がテープドライブに挿入されるとき、タップドライブ内の書き込みセンシング装置あるいはレバーは、テープカートリッジの書き込み防止状態を判断する。書き込み防止開口部１６０が開いているとき、テープカートリッジ１００は書き込み防止状態にあり、書き込み防止開口部１６０がブロックされているとき、あるいは閉じているとき、テープカートリッジ１００は書き込み可能状態にある。書き込み防止スイッチ２０はまた、書き込み防止スイッチ２０の位置に対応する書き込み防止開口部１６０をブロックし、あるいはカバーする。
【００２３】
図１に図示するように、アーム２６は書き込み防止スイッチ２０と一体接続され、アーム２６の端部で一体形成された平坦な面２８を含む。書き込み防止スイッチ２０が書き込み可能位置と書き込み防止位置との間を回転するにつれて、アーム２６は、同じ方向に対応する距離を回転する。書き込み防止スイッチ２０が書き込み可能位置にあるとき、アーム２６の平坦な面２８は書き込み防止開口部１６０を覆う。このようにテープドライブ書き込み防止センシング装置あるいはレバーはテープカートリッジ１００の敷居を交差できず、テープカートリッジ１００が書き込み可能状態であることを示す。書き込み防止スイッチ２０が書き込み防止位置に対して回転させられたとき、アーム２６は書き込み防止開口部１６０を覆わないようにするためにはなれて回転し、このようにしてテープカートリッジ１００が書き込み防止状態であることを示す。
【００２４】
書き込み防止スイッチは、書き込み防止開口部をブロックするアームを含む回転シリンダーを備えるように図示され、かつ議論されているが、他の実施形態（図示せず）において書き込み防止スイッチはスライドスイッチである。スライドスイッチが書き込み可能位置にスライドされたとき、スライドスイッチと一体接続された部材は、テープカートリッジの側面の書き込み防止開口部を覆う。同様に、スライドスイッチが書き込み防止位置にスライドされたとき、書き込み防止開口部は覆われず、テープカートリッジが書き込み防止状態であることを示す。
【００２５】
回転書き込み防止スイッチの実施形態もスライド書き込み防止スイッチの実施形態のどちらもテープカートリッジハウジングの形状またはサイズを変更しない。本書き込み防止機構は、テープカートリッジハウジングの形状またはサイズを変更しない。形状およびサイズを保持することによって、本書き込み防止機構を有するテープカートリッジは、テープカートリッジをグリップし、保持し、かつ移動するためにテープカートリッジの外観の形状およびエッジを利用する自動テープカートリッジライブラリ、ローダあるいは他のトランスポート装置のような既存の装置と互換性がある。
【００２６】
図示され、かつ記載されたテープカートリッジハウジングは、カバー１１０およびベース１２０を備える。カバー１１０およびベース１２０は、側壁の半分がカバー１１０およびベース１２０と一体成形された状態で成形される。カバー１１０よおびベース１２０が連結されるとき、テープカートリッジの前面、背面ならびに側面が形成される。前面、背面ならびに側面が、カバーまたはベースによって形成されるように図示され、記載されているが、前面、背面ならびに側面はカバーおよびベースに一体形成され得る。同様に、書き込み防止スイッチ穴１４０および書き込み防止開口部１６０は、テープカートリッジカバー１１０およびベース１２０が連結されたときに形成されるように記載されてきたが、書き込み防止スイッチ穴１４０および書き込み防止開口部１６０は、テープカートリッジカバー１１０またはベース１２０のどちらかに成形され得る。
【００２７】
（書き込み防止インジケータ−図１）
テープカートリッジ１００は、テープカートリッジカバー１１０の上部面に配置された書き込み防止インジケータ１１２を含む。書き込み防止インジケータ１１２は、書き込み防止スイッチ２０のシリンダー２２の真上に配置される窓１１４を含む。ユーザ選択タブ２４に垂直なシリンダー２２の上部面に配置された矢印２８は、窓１１４を介して見ることができる。書き込み防止スイッチ２０が回転するにつれて、アーム２６および矢印２８は対応して回転する。書き込み防止スイッチ２０が書き込み可能位置にあるとき、アーム２６は、書き込み防止開口部１６０に向かって回転し、かつ矢印２８は、窓１１４の一方の端部に対して回転する。逆に、書き込み防止スイッチ２０が、書き込み可能位置に対して回転するにつれて、アーム２６は書き込み防止開口部１６０を覆わず、かつ矢印２８が書き込み防止インジケータ１１２の窓１１４の反対側の端部に対して回転する。
【００２８】
既存のテープカートリッジとは異なり、本書き込み防止機構は、ユーザが上部面からテープカートリッジ１００の書き込み防止状態を見ることを可能にする書き込み防止インジケータ１１２を提供する。間違った状態にテープカートリッジにおくことを防ぐために、人間が読むことができるアイコンが、書き込み防止状態と書き込み可能状態とを明確に区別するために利用される。
【００２９】
（人間が読むことができるアイコン−図２）
ユーザにとって書き込み防止スイッチあるいは書き込み防止開口部の位置と書き込み可能状態および書き込み防止状態との関係を覚えることは困難である。従って、ユーザが書き込み防止スイッチを書き込み防止位置にセットするように意図したときに、誤ってユーザが、書き込み可能位置に書き込み位置にセットし得る。その問題を解決するために、まさに前述された書き込み防止スイッチ２０および書き込み防止インジケータ１１２は、テープカートリッジ１００の書き込み防止状態を容易に識別する手段を含む。
【００３０】
図２を参照すると、書き込み防止スイッチ２０の書き込み防止状態を明確に表示する人間が読むことができるアイコンは、書き込み防止スイッチ２０上に成形される。書き込み可能アイコン４０および書き込み防止アイコン５０は、書き込み防止スイッチ２０のシリンダー２２上に成形され得、そのため書き込み可能アイコン４０は、ユーザ選択タブ２４の一方の側面に配置され、書き込み防止アイコン５０は、ユーザ選択タブ２４の反対の側面に成形される。書き込み可能アイコン４０は、鉛筆あるいは他の筆記用具または開いた状態の南京錠（図示されたように）を描写し得る。書き込み防止アイコン５０は、スラッシュが円を貫く円を囲む書き込み可能アイコン４０のような、あるいは閉じられた状態の南京錠のような同じアイコンを描写し得る。スラッシュが円を貫く円に含まれる鉛筆あるいは他の筆記用具は、テープカートリッジが書き込み防止状態にあることを示す。
【００３１】
代替的実施形態において、ユーザ選択タブ２４または矢印２８のどちらかの側の書き込み防止スイッチ２０の領域は、テープカートリッジの書き込み防止状態を示すようにカラーコーディングされ得る。例えば、書き込み防止スイッチ２０が書き込み可能位置にあるときに見られるユーザ選択タブ２４および矢印２８の近傍の領域は、テープカートリッジ１００が書き込み可能状態であることを暗示する緑にカラーコーディングされ得る。逆に、ユーザ選択タブ２４および矢印２８の反対側は、書き込み防止状態を示す赤カラーコーディングされ得る。人間が読むことができるアイコンは、筆記用具あるいは緑および色の組合せを利用して記載されているが、他のアイコンあるいは色の組合せは可能である。
【００３２】
本書き込み防止機構は、人間が読むことができるアイコンを有する少なくとも２つの方向からテープカートリッジの書き込み防止状態を見るための手段を提供する。書き込み防止スイッチおよびインジケータは、ユーザが書き込み防止位置の選択を意図したとき、不注意で書き込み可能位置を選択することを防ぐための手段を提供する。代替的な実施形態では、当業者は、人間が読むことができるアイコンを有する本書き込み防止機構が、書き込み防止スイッチ、書き込み防止インジケータおよび／または人間が読むことができるアイコンにおいて変化して構成され得ることを理解する。
【００３３】
磁気テープカートリッジの書き込み防止機構は、上述の目的、目標、利点を十分に満たされて記載されていることは明白である。書き込み防止機構は特定の実施形態に関連して記載されているが、多くの代替品、修正および／または改変は先に記載の観点から当業者によって工夫され得ることは明白である。従って、この記載は、添付の特許請求項の意図および範囲内にあるそのような代替品、修正ならびに改変を承認することを意図されている。
【図面の簡単な説明】
【００３４】
【図１】図１は、人間が読むことができるアイコンを用いた書き込み防止機構を有するテープカートリッジの内部の図を図示する。
【図２】図２は、人間が読むことができるアイコンを有する書き込み防止機構の外観図を図示する。
【図１】
0004130408.tif 000002
【図２】
0004130408.tif 000003